(57)【特許請求の範囲】
【請求項１】
走行車体の最前部近傍に水冷式エンジンを搭載し、前記エンジンの一側に燃料タンクを配置し、エンジンの後側にラジエータを配置し、前記走行車体の最前部にバンパーを開閉自在に設けてなる田植機において、
前記走行車体の前端部には枢軸を介して前記バンパーを回動可能に配置し、
前記バンパーよりも後方の前記走行車体の側面からこの外側に向けて予備苗載台用支持フレームを突設し、
前記予備苗載台用支持フレームに連結した前タンクステーには、前記燃料タンクの前側を取付し、
前記前タンクステーの前側にポンプ台を取付し、
前記ポンプ台の前面側には、燃料ポンプ及び燃料フィルタを配置し、
前記燃料ポンプ及び燃料フィルタの後方で前記燃料タンクの前側には、前記ラジエータの排出口にドレンホースを介して接続させるためのラジエータ水用ドレンを配置させたことを特徴とする田植機。
【発明の詳細な説明】
【０００１】
【発明の属する技術分野】
本発明は苗載台及び植付爪を備えて連続的に苗植作業を行う田植機に関する。
【０００２】
【発明が解決しようとする課題】
従来、エンジンのメンテナンス必要部品である燃料フィルタ・燃料ポンプ・ラジエータ水用ドレン・燃料タンクドレンなどにあっては、エンジンや燃料タンクの周辺に配備されていて、これらの保守点検や操作を車体外側から行う場合非常に遣りずらいという不都合があった。またエンジンを車体略中央に配置させて、燃料タンクをエンジンの左右一側に配置させた場合、車体の左右バランスが不均衡となる不都合があった。
【０００３】
【課題を解決するための手段】
請求項１に係る発明は、走行車体の最前部近傍に水冷式エンジンを搭載し、前記エンジンの一側に燃料タンクを配置し、エンジンの後側にラジエータを配置し、前記走行車体の最前部にバンパーを開閉自在に設けてなる田植機において、前記走行車体の前端部には枢軸を介して前記バンパーを回動可能に配置し、前記バンパーよりも後方の前記走行車体の側面からこの外側に向けて予備苗載台用支持フレームを突設し、前記予備苗載台用支持フレームに連結した前タンクステーには、前記燃料タンクの前側を取付し、前記前タンクステーの前側にポンプ台を取付し、前記ポンプ台の前面側には、燃料ポンプ及び燃料フィルタを配置し、前記燃料ポンプ及び燃料フィルタの後方で前記燃料タンクの前側には、前記ラジエータの排出口にドレンホースを介して接続させるためのラジエータ水用ドレンを配置させたものであるから、部品の保守点検や操作などを簡単にできるものである。
【０００４】
【０００５】
【０００６】
【０００７】
【発明の実施の形態】
以下、本発明の実施例を図面に基づいて詳述する。図１はエンジン部の平面説明図、図２は乗用田植機の側面図、図３は同平面図を示し、図中（１）は作業者が搭乗する走行車であり、ディーゼルエンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、乗降ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００８】
また、図中（１５）は１０条植え用の苗載台（１６）並びに植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にヒッチ台（２３）を設け、該ヒッチ台（２３）をヒッチ機構（２４）に連結させ、トップリンク（２５）及びロワーリンク（２６）を含むリンク機構（２７）後部にヒッチ機構（２４）を取付け、走行車（１）後側にリンク機構（２７）を介して植付部（１５）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００９】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は１０条用の側条施肥機である。
【００１０】
さらに、前記運転席（１３）両側の車体カバー（１２）両側に左右補助デッキ（３７）（３７）を固定させ、該デッキ（３７）（３７）前部に前記乗降ステップ（１１）（１１）を固定させ、前記補助デッキ（３７）（３７）後部の機外側に左右サイドデッキ（３８）（３８）を起伏自在かつ脱着自在に連結させると共に、６条用の中央施肥部（３６ａ）と、各２条用の左右施肥部（３６ｂ）（３６ｂ）とに、前記施肥機（３６）を分割形成し、右施肥部（３６ｂ）機外側に送肥ブロワ（３９）を配設させ、運転席（１３）両側にレバー（２９）（３０）（３１）取付け位置を隔てて左右施肥部（３６ｂ）（３６ｂ）を収納する一方、６条分の中央苗台（１６ａ）と各２条分の左右苗台（１６ｂ）（１６ｂ）とに苗載台（１６）を分割形成し、苗台支点軸（４０）（４０）回りに左右苗台（１６ｂ）（１６ｂ）を上昇させて中央苗台（１６ａ）上側に折畳み収納させ、また２条分の植付爪（１７）…及びフロート（３５）を備える左右植付ケース（２０）（２０）を中央苗台（１６ａ）後側に略４５度傾斜のケース支点軸（４１）回りに回動させて折畳み収納させ、植付部（１５）及び施肥機（３６）の折畳み時には略６条巾とするように構成している。
【００１１】
図４乃至図７に示す如く、前低後高（傾斜角約４度）に傾斜させる前記車体フレーム（３）前部上面にゴム受台（４２）…を一体固定させ、受台（４２）…の前後方向が略水平な上面側に防振ゴム（４３）…を介してエンジン台（４４）を取付け、エンジン台（４４）に前記エンジン（２）を上載させている。
【００１２】
また、前記車体フレーム（３）のエンジン後側位置にステアリングケース（４５）を取付け、ハンドルコラム（４６）に内挿させる操向ハンドル（１４）のステアリング軸（１４ａ）を、左右車体フレーム（３）（３）間の略中央でステアリングケース（４５）上面に立設させると共に、ステアリングケース（４５）下面に出力軸（４７）を突設させ、左右の前輪（６）（６）を方向転換させる操向アーム（４８）を前記出力軸（４７）に取付けている。
【００１３】
さらに、前記エンジン（２）後方の車体フレーム（３）上にラジエータ（４９）を立設固定させ、エンジン（２）とラジエータ（４９）間にラジエータファン（５０）を配置させ、該ファン（５０）の駆動軸（５０ａ）などに伝達ベルト（５１）を介し連動連結するエンジン出力軸（５２）をユニバーサルジョイント付伝動軸（５３）を介し直接的に後方のミッションケース（４）に連動連結させるもので、前記車体フレーム（３）後端部にリヤアクスルケース（７）をボルト止め固定させ、前記リヤアクスルケース（７）前面にミッションケース（４）後面を連結固定させると共に、ミッションケース（４）の右側前面にクラッチケース（５４）を一体形成し、クラッチケース（５４）前面に変速ケース（５５）後面を嵌合固定させ、また昇降シリンダ（２８）を作動させる油圧ポンプ（５６）を変速ケース（５５）の左側後面に固定させ、四角パイプ形の左右車体フレーム（３）（３）の間でこの上面よりも低位置に前記各ケース（４）（５４）（５５）及び油圧ポンプ（５６）を吊下げ固定させ、前記伝動軸（５３）を前記出力軸（５２）後端と変速ケース（５５）間に設け、エンジン（２）出力を変速ケース（５５）に伝えると共に、フロントアクスルケース（５）とミッションケース（４）間に前輪伝動軸（５７）を設け、ミッションケース（４）の変速出力を各アクスルケース（５）（７）を介して前後輪（６）（８）に伝えるように構成している。
【００１４】
図１及び図５にも示す如く、前記エンジン（２）の上部にエアクリーナ（５８）を、配設するもので、エアクリーナ（５８）を吸入管（５９）を介しエンジン（２）に接続させると共に、エアクリーナ（５８）に空気を取入れる吸気管（６０）の吸気口（６０ａ）をラジエータ（４９）の後側位置に下向きに臨ませるように構成している。また排気マフラー（６１）をボンネット（９）の右外側に配設して、取付部材（６２）を介し右本体フレーム（３）にマフラー（６１）を連結固定させ、マフラー（６１）とエンジン（２）間をフレキシブル部（６３ａ）を有する排気管（６３）で接続させて、エンジン（２）の振動などがマフラー（６１）に伝わるのを防止するように構成している。
【００１５】
図８、図９に示す如く、前記ラジエータ（４９）の前面とボンネット（９）内壁間に３組の仕切板（６４）（６５）（６６）より成る仕切壁（６７）を張設して、ボンネット（９）内後部を空気取入室（６８）に形成し、前記吸気管（６０）の吸気口（６０ａ）も取入室（６８）に臨ませると共に、ラジエータ（４９）とエンジン（２）と間を冷却水循環用ホース（６９）で接続して、ボンネット（９）の後方より取入れた冷却風をラジエータ（４９）を介しボンネット（９）内前部のエンジン室（７０）に送り込んで主にマフラー（６１）の下側より外方に排出させるように構成している。
【００１６】
図６、図７にも示す如く、前記エンジン台（４４）は、エンジン（２）の左右側部にボルト（７１）を介し固定する平面視門形の左右側板（７２）と、側板（７２）に基端を固設し先端裏面にボルト（７３）を介し防振ゴム（４３）の上面を取付ける傾斜状の前後受板（７４）とを備え、車体フレーム（３）の上面及び側面の２面に基端を固設する前記受台（４２）の傾斜上面にボルト（７３）を介し防振ゴム（４３）の下面を固定保持させて、エンジン（２）の振動など緩衝させた良好な支持を行うように構成している。
【００１７】
図１０、図１１にも示す如く、右側エンジン台（４４）の前位置の防振ゴム（４３）の略上方を遮蔽板（７５）によって覆うもので、左右車体フレーム（３）（３）前端上方間を前フレーム（７６）を介し連結する横フレーム（７７）の右端と、右車体フレーム（３）上の受台（７８）とに、側面視略Ｌ形状の遮蔽板（７５）の前後端をボルト（７９）止め固定すると共に、遮蔽板（７５）の上面に断熱シート（８０ａ）を一体固着させて、エンジン冷却後の熱風が直接的にこの防振ゴム（４３）にかかるのを防止すると共に、遮蔽板（７５）の後下がりの傾斜上面（７５ａ）によって空気の流れをマフラー（６１）方向とさせて、マフラー（６１）の冷却も良好とさせるように構成している。
【００１８】
図１、図１２、図１３に示す如く、前記エンジン（２）の燃料タンク（８０）を、ボンネットの右外側の排気マフラー（６１）に対して反対側となるエンジン（２）の左外側に設けて、前ステップカバー（１２ａ）の左右下側にこれらタンク（８）及びマフラー（６１）を左右バランス良好に且つコンパクトに配置させるもので、左車体フレーム（３）と左ステップステー（８１）との間に前後タンクステー（８２）（８３）を介し燃料タンク（８０）を固定支持させている。
【００１９】
また前記燃料タンク（８０）と該タンク（８０）前方の前バンパー（８４）との間にエンジン（２）のメンテナンス部品である燃料ポンプ（８５）・燃料フィルタ（８６）・ラジエータ水用ドレン（８７）・燃料タンクドレン（８８）を配置させると共に、燃料ポンプ（８５）の上方に燃料コック（８９）を配置させるもので、左車体フレーム（３）の左外側に突設する予備苗載台（１０）用支持フレーム（９０）に前タンクステー（８２）下端を固設させ、前記燃料ポンプ（８５）及び燃料フィルタ（８６）を上下２段に取付けるポンプ台（９１）を前タンクステー（８２）の上端にボルト止め固定させ、エンジン（２）とフィルタ（８６）との間、フィルタ（８６）とポンプ（８５）との間、ポンプ（８５）とコック（８９）との間、コック（８９）とエンジン（２）との間を、各燃料ホース（９２）（９３）（９４）（９５）でそれぞれ接続して、燃料タンク（８０）内の燃料をフィルタ（８６）及びポンプ（８５）を介しエンジン（２）の燃料噴射部に送給するように構成している。
【００２０】
また前記ラジエータ水用ドレン（８７）をポンプ（８５）及びフィルタ（８６）位置より後方で燃料タンク（８０）の前端下側位置に配置させ、ラジエータ（４９）の排出口にドレンホース（９６）を介してドレン（８７）を接続させる一方、前記燃料タンク（８０）の前端下側の左外側位置で燃料タンクドレン（８８）を支持フレーム（９０）に連結支持させ、燃料タンク（８０）の排出口にドレンホース（９７）を介してドレン（８８）を接続させて、各ドレン（８７）（８８）によってラジエータ（４９）内の冷却水及び燃料タンク（８０）内の燃料の抜取りを行うように構成している。
【００２１】
図１４、図１５に示す如く、前記燃料タンク（８０）及び排気マフラー（６１）の上部を覆う前ステップカバー（１２ａ）の前端下側に前バンパー（８４）を開閉自在に設けるもので、左右車体フレーム（３）の前端に取付台（９９）を介し固設する前フレーム（７６）の固定片（１００）に、枢軸（１０１）を介し前バンパー（８４）後面の取付板（１０２）の左右下端折曲部（１０２ａ）を回動自在に支持させると共に、前記取付板（１０２）の折曲部（１０２ａ）より外側で上方位置に形成するフック（１０３）に、前記取付台（９９）の外側面に固設するパッチン錠（１０４）を係脱自在に係合させて、パッチン錠（１０４）の係合解除時に前バンパー（８４）を下方向に回動して燃料ポンプ（８５）・燃料フィルタ（８６）・ラジエータ水用ドレン（８７）・燃料タンクドレン（８８）などの前面側を開放して、これらの保守点検や操作などを車体前方側からも容易に可能とさせるように構成している。
【００２２】
【発明の効果】
以上実施例から明らかなように、請求項１に係る発明は、走行車体としての車体フレーム（３）の最前部近傍に水冷式エンジン（２）を搭載し、前記エンジン（２）の一側に燃料タンク（８０）を配置し、エンジン（２）の後側にラジエータ（４９）を配置し、前記車体フレーム（３）の最前部にバンパー（８４）を開閉自在に設けてなる田植機において、前記車体フレーム（３）の前端部には枢軸（１０１）を介して前記バンパー（８４）を回動可能に配置し、前記バンパー（８４）よりも後方の前記車体フレーム（３）の側面からこの外側に向けて予備苗載台（１０）用支持フレーム（９０）を突設し、前記予備苗載台（１０）用支持フレーム（９０）に連結した前タンクステー（８２）には、前記燃料タンク（８０）の前側を取付し、前記前タンクステー（８２）の前側にポンプ台（９１）を取付し、前記ポンプ台（９１）の前面側には、燃料ポンプ（８５）及び燃料フィルタ（８６）を配置し、前記燃料ポンプ（８５）及び燃料フィルタ（８６）の後方で前記燃料タンク（８０）の前側には、前記ラジエータ（４９）の排出口にドレンホース（９６）を介して接続させるためのラジエータ水用ドレン（８７）を配置させたものであるから、バンパー（８４）の開放によって部品の保守点検や操作などを簡単にできるものである。
【００２３】
【００２４】
【００２５】
【図面の簡単な説明】
【図１】エンジン部の平面説明図である。
【図２】乗用田植機の側面図である。
【図３】乗用田植機の平面図である。
【図４】車体フレーム部の側面図である。
【図５】エンジン部の側面説明図である。
【図６】エンジン部の正面説明図である。
【図７】エンジン取付部の説明図である。
【図８】ラジエータ部の背面説明図である。
【図９】ラジエータ部の側面説明図である。
【図１０】遮蔽板部の側面説明図である。
【図１１】遮蔽板部の平面説明図である。
【図１２】燃料タンク部の側面説明図である。
【図１３】燃料タンク部の平面説明図である。
【図１４】前バンパー部の側面説明図である。
【図１５】前バンパー部の平面説明図である。
【符号の説明】
（２）エンジン
（３）車体フレーム（走行車体）
（１０）予備苗載台
（４９）ラジエータ
（８０）燃料タンク
（８２）前タンクステー
（８４）前バンパー
（８５）燃料ポンプ
（８６）燃料フィルタ
（８７）ラジエータ水用ドレン
（９０）予備苗載台用支持フレーム
（９１）ポンプ台
（９６）ドレンホース
（１０１）枢軸
【図１】
0003742199.tif 000002
【図２】
0003742199.tif 000003
【図３】
0003742199.tif 000004
【図４】
0003742199.tif 000005
【図５】
0003742199.tif 000006
【図６】
0003742199.tif 000007
【図７】
0003742199.tif 000008
【図８】
0003742199.tif 000009
【図９】
0003742199.tif 000010
【図１０】
0003742199.tif 000011
【図１１】
0003742199.tif 000012
【図１２】
0003742199.tif 000013
【図１３】
0003742199.tif 000014
【図１４】
0003742199.tif 000015
【図１５】
0003742199.tif 000016